(57)【要約】【課題】作業性の向上を図る。【解決手段】バレル槽Ａは、概ね平板状をなす複数の外壁部１３を周方向に連ねた多角形断面の外筒部１２を有し、外筒部１２の軸線Ｐ方向における少なくとも一方の端面が着脱口１４として開放された缶体１１と、概ね平板状をなす複数の内壁部３７を周方向に連ねた多角形断面の内筒部３６と、内筒部３６の軸線Ｐ方向における基端側端部を閉塞する底壁部４１とを有し、着脱口１４から缶体１１内に収容される箱形の保護部材３５と、外筒部１２の断面視における頂点内周部１７に設けられ、内筒部３６の断面視における頂点外周部３９を嵌合させることで、外筒部１２に対する内筒部３６の周方向への相対変位を規制可能な嵌合凹部２４（嵌合部）とを備える。【選択図】図４
2019162691.tif 000002
【特許請求の範囲】
【請求項１】
概ね平板状をなす複数の外壁部を周方向に連ねた多角形断面の外筒部を有し、前記外筒部の軸線方向における少なくとも一方の端面が着脱口として開放された缶体と、
概ね平板状をなす複数の内壁部を周方向に連ねた多角形断面の内筒部と、前記内筒部の軸線方向における基端側端部を閉塞する底壁部とを有し、前記着脱口から前記缶体内に収容される箱形の保護部材と、
前記外筒部の断面視における頂点内周部に設けられ、前記内筒部の断面視における頂点外周部を嵌合させることで、前記外筒部と前記内筒部の周方向への相対変位を規制可能な嵌合部とを備えていることを特徴とするバレル槽。
【請求項２】
前記嵌合部と前記頂点外周部の外面が、曲面を含んでいて面当たり状態で当接していることを特徴とする請求項１記載のバレル槽。
【請求項３】
前記保護部材が合成樹脂材料からなり、
前記保護部材には、前記内筒部の開口部の開口縁から径方向外方へ張り出した形態であり、前記開口部を閉塞する蓋と前記外筒部との間で挟み付けられるフランジ部が形成されており、
前記フランジ部にはリング状の開口側芯金が一体化されていることを特徴とする請求項１又は請求項２記載のバレル槽。
【請求項４】
前記保護部材が合成樹脂材料からなり、
前記底壁部に底面側芯金が一体化されていることを特徴とする請求項１ないし請求項３のいずれか１項に記載のバレル槽。
【請求項５】
前記嵌合部が、前記缶体に対して着脱可能な支持部材に形成されていることを特徴とする請求項１ないし請求項４のいずれか１項に記載のバレル槽。
【請求項６】
前記外筒部の軸線方向における他方の端面に形成され、前記缶体の内部と外部を連通させる連通口を備えていることを特徴とする請求項１ないし請求項５のいずれか１項に記載のバレル槽。
【請求項７】
前記嵌合部が、前記外筒部の軸線方向における全長に亘って連続して延びた形態であることを特徴とする請求項１ないし請求項６のいずれか１項に記載のバレル槽。
【請求項８】
前記缶体には、前記保護部材に係止することで、前記保護部材を前記缶体に収容した状態に保持可能なストッパが設けられていることを特徴とする請求項１ないし請求項７のいずれか１項に記載のバレル槽。
【発明の詳細な説明】
【技術分野】
【０００１】
本発明は、バレル槽に関するものである。
【背景技術】
【０００２】
特許文献１には、バレル研磨機に用いられるバレル槽として、一面が開放された方形の筒状をなすバレルタンクの内面を、ライニングで覆って保護するものが開示されている。バレルタンクの内周面は複数の平面部によって構成され、ライニングは、複数の平面部と個別に対応するように複数枚に分割されている。バレルタンクにライニングを取り付けた状態では、ライニングの弾性力によって隣り合うライニングの側縁部同士が強く当たり合うことにより、ライニングが取付け状態に保持されている。
【先行技術文献】
【特許文献】
【０００３】
【特許文献１】実開平６−６１４５１号公報
【発明の概要】
【発明が解決しようとする課題】
【０００４】
上記のバレル槽では、ライニングが、バレルタンクを構成する複数の平面部と個別に対応するように複数枚に分割されている。そのため、ライニングの取付け作業や交換作業の際には、複数枚のライニングを１枚ずつ装着したり取り外したりしなければならず、作業性が良くないという問題がある。
【０００５】
本発明は上記のような事情に基づいて完成されたものであって、作業性の向上を図ることを目的とする。
【課題を解決するための手段】
【０００６】
本発明は、
概ね平板状をなす複数の外壁部を周方向に連ねた多角形断面の外筒部を有し、前記外筒部の軸線方向における少なくとも一方の端面が着脱口として開放された缶体と、
概ね平板状をなす複数の内壁部を周方向に連ねた多角形断面の内筒部と、前記内筒部の軸線方向における基端側端部を閉塞する底壁部とを有し、前記着脱口から前記缶体内に収容される箱形の保護部材と、
前記外筒部の断面視における頂点内周部に設けられ、前記内筒部の断面視における頂点外周部を嵌合させることで、前記外筒部と前記内筒部の周方向への相対変位を規制可能な嵌合部とを備えていることを特徴とする。
【発明の効果】
【０００７】
缶体に保護部材を収容すると、缶体の内周が保護部材で覆われて保護される。保護部材を箱形としたので、缶体に対して保護部材を着脱する際の作業性が良い。また、缶体において２つの外壁部の側縁部同士が連なる頂点内周部は、双方の外壁部が相手側の外壁部によって補強される形状をなすので、外筒部においては最も剛性が高く変形が生じ難い部位である。同様に、保護部材において２つの内壁部の側縁部同士が連なる頂点外周部は、双方の内壁部が相手側の内壁部によって補強される形状をなすので、内筒部において最も剛性が高く変形が生じ難い部位である。剛性の高い頂点内周部と頂点外周部を嵌合させたので、バレル研磨時に発生する強い力により保護部材が缶体に対して周方向へ相対変位することを規制できる。
【図面の簡単な説明】
【０００８】
【図１】実施例１のバレル槽の正面図
【図２】バレル槽の平面図
【図３】図１のＸ−Ｘ線断面図
【図４】図３の部分拡大平断面図
【図５】図２のＹ−Ｙ線断面図
【図６】缶体の平面図
【図７】保護部材の平面図
【図８】保護部材の底面図
【図９】保護部材の側断面図
【発明を実施するための形態】
【０００９】
本発明は、前記嵌合部の内面と前記頂点外周部の外面が、曲面を含んでいて面当たり状態で当接していてもよい。この構成によれば、嵌合部の内面と頂点外周部の外面が曲面を含んで構成されているので、嵌合部の内面と頂点外周部の外面における応力集中に起因する摩耗を回避できる。また、嵌合部と頂点外周部との接触面積が大きく確保されるので、缶体に対する保護部材の周方向への相対変位を規制する機能に優れている。
【００１０】
本発明は、前記保護部材が合成樹脂材料からなり、前記保護部材には、前記内筒部の開口部の開口縁から径方向外方へ張り出した形態であり、前記開口部を閉塞する蓋と前記外筒部との間で挟み付けられるフランジ部が形成されており、前記フランジ部にはリング状の開口側芯金が一体化されていてもよい。この構成によれば、保護部材がバレル研磨時に熱膨張しても、開口側芯金の剛性により、フランジ部が波打つように変形する虞はない。したがって、蓋とフランジ部との間を密閉状態に保つことができる。また、開口側芯金は保護部材の開口部の開口縁部に一体化されているので、内筒部の頂点外周部のうち開口部の開口縁部の近傍部分は、バレル研磨時に径方向へ熱膨張しようとしても、その熱膨張は開口側芯金の剛性によって抑制される。したがって、保護部材の開口部の開口縁部の近傍においては、頂点外周部が嵌合凹部に対して過度に押し付けられる虞がない。  
【００１１】
本発明は、前記保護部材が合成樹脂材料からなり、前記底壁部に底面側芯金が一体化されていてもよい。この構成によれば、内筒部の頂点外周部のうち底壁部の近傍部分は、バレル研磨時における径方向への熱膨張が底面側芯金によって抑制される。したがって、保護部材の底壁部の近傍においては、頂点外周部が嵌合部に対して過度に押し付けられることを防止できる。
【００１２】
本発明は、前記嵌合部が、前記缶体に対して着脱可能な支持部材に形成されていてもよい。この構成によれば、嵌合部が摩耗したときに、支持部材を交換することで、缶体に対する保護部材の相対変位を規制する機能を維持できる。
【００１３】
本発明は、前記外筒部の軸線方向における他方の端面に形成され、前記缶体の内部と外部を連通させる連通口を備えていてもよい。この構成によれば、保護部材を缶体から外す際に、連通口から保護部材を着脱口側へ押すことができるので、作業性が良い。
【００１４】
本発明は、前記嵌合部が、前記外筒部の軸線方向における全長に亘って連続して延びた形態であってもよい。この構成によれば、複数の嵌合部を外筒部の軸線方向に分断して配置する場合に比べると、嵌合部の成形が容易である。
【００１５】
本発明は、前記缶体には、前記保護部材に係止することで、前記保護部材を前記缶体に収容した状態に保持可能なストッパが取り付けられていてもよい。この構成によれば、缶体内に保護部材を収容した状態でバレル槽を反転させたような場合に、保護部材が不用意に缶体から落下することを防止できる。
【００１６】
＜実施例１＞
以下、本発明を具体化した実施例１を図１〜図９を参照して説明する。尚、以下の説明において、上下の方向については、図１，５，９にあらわれる向きを、そのまま上方、下方と定義する。平面視とは、対象物の上方から対象物を下向きに視ること、と定義する。また、バレル研磨時におけるバレル槽Ａの回転中心軸を、軸線Ｐと定義する。
【００１７】
＜バレル槽Ａ＞
バレル槽Ａは、バレル研磨機（図示省略）に用いられるものである。バレル槽Ａの内部に図示しないマス（ワークや研磨石等）を投入した状態でバレル槽Ａを遊星回転させることで、ワークが研磨されるようになっている。バレル槽Ａは、バレル本体１０と、蓋４７と、固定部材５１とを備えて構成されている。バレル本体１０は、上面が概ね正六角形の投入排出口として開放された角筒状をなしている。バレル本体１０は、金属製の１つの缶体１１と、金属製の３つの受け部材３０，３１と、合成樹脂製の１つの保護部材３５とを備えて構成されている。
【００１８】
＜缶体１１＞
図３に示すように、缶体１１は、アルミニウムやアルミニウム合金等の金属材料からなる平面視正六角形の外筒部１２を有する。外筒部１２は、６０°ピッチで配した略方形をなす６つの外壁部１３からなる。６つの外壁部１３は、概ね同じ形状をなし、周方向に連ねて一体化した形態である。外筒部１２の軸線Ｐと直角に切断した平面視断面形状は、外筒部１２の上端から下端に亘って同じ形状である。
【００１９】
図５，６に示すように、缶体１１の上面の全領域は、缶体１１（外筒部１２）の内部を外部へ開放する正六角形の着脱口１４として開口している。缶体１１の下面の全領域は、缶体１１（外筒部１２）の内部を外部へ開放する正六角形の連通口１５として開口している。連通口１５は、外筒部１２の下端部に取り付けた正六角形の底板（図示省略）で閉塞することが可能である。底板を外すことにより、缶体１１の内部が連通口１５を介して外部と連通した状態となる。
【００２０】
図３，６に示すように、平面視において、外筒部１２は、周方向に隣り合う２つの外壁部１３の側縁部同士が鈍角をなして連なる６つの頂点部１６を有している。頂点部１６のうち外筒部１２の内部空間に臨む部分を、頂点内周部１７と定義する。図４に示すように、各頂点内周部１７の周方向における中央部には、夫々、外筒部１２の中空内に臨む受け面１８が形成されている。受け面１８は、軸線Ｐから頂点内周部１７に延ばした径方向線に対して直交する平面からなる。
【００２１】
受け面１８の周方向における両端部には、平面視形状が弧状をなす一対の規制凹部１９が形成されている。各頂点内周部１７の周方向における両端部には、一対の規制凹部１９の間に配され、且つ一対の規制凹部１９に隣接する一対の係止リブ２０が形成されている。また、外壁部１３の内面のうち各頂点内周部１７と周方向に隣接する側縁部には、その隣接する頂点内周部１７側に向けて周方向に開口した溝部２１が形成されている。
【００２２】
＜支持部材２２＞
支持部材２２は、アルミニウムやアルミニウム合金等の金属材料からなり、缶体１１の軸線Ｐと平行に延びた細長い板状をなしている。図４に示すように、支持部材２２は、本体部２３と、一対の弾性片２９とを有する単一部材である。支持部材２２は、各頂点内周部１７の内面に当接した状態で取り付けられる。したがって、１つの外筒部１２（缶体１１）には、６つの支持部材２２が取り付けられる。
【００２３】
支持部材２２を頂点内周部１７に取り付けた状態では、本体部２３の外面が受け面１８に面当たり状態で当接する。本体部２３の内面には、缶体１１の軸線Ｐに向かって開口した形態の嵌合凹部２４（請求項に記載の嵌合部）が形成されている。平面視において、嵌合凹部２４は、周方向の中央部の曲面部２５と、曲面部２５の周方向における両端から周方向へ延出した平面部２６とから構成されている。平面部２６は、缶体１１の軸線Ｐを中心とする周方向に対して交差する向きとなっている。
【００２４】
本体部２３の外面の周方向における両端部には、一対の規制突部２７が形成されている。一対の規制突部２７が一対の規制凹部１９に嵌合することで、缶体１１（外筒部１２）に対する支持部材２２の周方向への相対変位が規制される。本体部２３の外面には、一対の規制突部２７の間に配され、且つ一対の規制突部２７に隣接する一対の係止溝２８が形成されている。一対の係止溝２８が一対の係止リブ２０に嵌合することで、缶体１１（外筒部１２）に対する支持部材２２の周方向への相対変位が規制される。
【００２５】
一対の弾性片２９は、本体部２３の周方向両端縁（規制突部２７）から周方向へ片持ち状に延出した形態である。弾性片２９は、本体部２３の外面に対して鈍角をなし、外壁部１３と概ね平行をなす。弾性片２９の径方向の厚さ寸法は、本体部２３の厚さ寸法よりも小さい。したがって、弾性片２９の剛性は本体部２３よりも低い。一対の弾性片２９の延出端部は、夫々、溝部２１に収容されている。弾性片２９の延出端部は、外筒部１２の溝部２１に対し径方向外側から弾性的に当接するので、その反力により、本体部２３の外面が受け面１８に対して弾性的に当接し、支持部材２２が缶体１１に対して取付け状態に保持される。
【００２６】
＜受け部材３０，３１＞
外筒部１２（缶体１１）の外面には、３つの受け部材３０，３１が取り付けられている。３つの受け部材３０，３１は、周方向において１２０°ピッチで配され、外壁部１３の周方向における中央部と対応するように位置している。３つの受け部材３０，３１のうち２つの第１受け部材３０には、外筒部１２の外面から外方へ膨らむように湾曲した形状の取っ手３２が形成されている。取っ手３２を手で掴むことにより、バレル槽Ａの取り扱いが容易となる。
【００２７】
１つの第２受け部材３１は、外筒部１２の軸線Ｐと平行な棒状をなす。各受け部材３０，３１のうち外筒部１２の上端よりも高い位置には、アーム引掛け部３３が形成されている。アーム引掛け部３３は、受け部材３０，３１の外面のうち径方向内方に臨む面と、受け部材３０，３１の外面のうち平面視における反時計回り方向に臨む面において外部に開放されている。
【００２８】
各受け部材３０，３１の上端部のうちアーム引掛け部３３より下方の位置には、夫々、受け部材３０，３１を径方向に貫通した形態のストッパ３４が、ねじ込みにより取り付けられている。即ち、缶体１１には、受け部材３０，３１を介すことにより、３つのストッパ３４が１２０°ピッチで設けられている。３つのストッパ３４は、上下方向において、缶体１１（外筒部１２）の上端より僅かに上方の位置（後述する保護部材３５のフランジ部４０と同じ高さ）に配されている。各ストッパ３４は、受け部材３０，３１の内面から外筒部１２（後述する保護部材３５の開口側芯金４２）の真上へ突出した抜止め位置と、外筒部１２の外周面（開口側芯金４２の外周縁）より径方向外方に退避した退避位置との間で移動させることができるようになっている。
【００２９】
＜保護部材３５＞
保護部材３５は、たとえば、ウレタン等の合成樹脂材料からなり、平面視形状が正六角形の有底角筒状をなしている。保護部材３５は、缶体１１の内部に収容されるようになっている。保護部材３５の上面には、その全領域に亘って開口部３５Ｅが形成されている。保護部材３５を缶体１１内に取り付けた状態では、保護部材３５の開口部３５Ｅが、バレル本体１０の投入排出口として機能する。保護部材３５は、マス（ワークや研磨石）の摺接に起因して缶体１１の内周面（外壁部１３の内面）が傷付くことを防止する保護機能と、マスが金属製の缶体１１への摺接によって傷付くことを防止する保護機能とを兼ね備えている。
【００３０】
保護部材３５は、内筒部３６と、フランジ部４０と、底壁部４１とから構成されている。内筒部３６は、周方向において６０°ピッチで配した６つの略方形をなす内壁部３７からなる。６つの内壁部３７は、同一形状であり、周方向に鈍角状に連ねて一体化された形態である。
【００３１】
図３に示すように、平面視において、内筒部３６は、周方向に隣り合う２つの内壁部３７の側縁部同士が鈍角をなして連なる６つの頂点部３８を有している。平面視において、内筒部３６の軸線Ｐ（バレル研磨時の回転軸）を中心とする径方向（放射方向）の厚さ寸法は、各内壁部３７の周方向における中央部で最小寸法となり、頂点部３８において最大寸法となる。したがって、内筒部３６の剛性は頂点部３８が最も高い。さらに、内筒部３６の頂点部３８の内周には頂点部３８の径方向の厚さを増大させる肉盛り部５８が形成されているので、頂点部３８の剛性が更に高められている。
【００３２】
内筒部３６の頂点部３８のうち内筒部３６の外部空間に臨む部分を、頂点外周部３９と定義する。図４に示すように、頂点外周部３９の外面は、平面視において円弧形又は湾曲した形状をなし、円弧面のみ又は曲面のみによって構成されている。頂点外周部３９の外面は、内壁部３７の外面に対し接線状をなして滑らかに連なっている。
【００３３】
図５，９に示すように、フランジ部４０は、内筒部３６の上端縁（開口部３５Ｅの開口縁）から径方向外方へ張り出した形態である。フランジ部４０には、インサート成形により開口側芯金４２が埋設された状態で一体化されている。図７に示すように、開口側芯金４２の平面視形状は正六角形をなしている。図９に示すように、開口側芯金４２はフランジ部４０の下面に露出している。
【００３４】
フランジ部４０には、周方向に１２０°ピッチで配された３つの切欠部４３が形成されている。３つの切欠部４３は、３つの内壁部３７の周方向における中央部と対応する部位に配されている。各切欠部４３は、フランジ部４０の上面及び外周面に開放された形態である。切欠部４３においては、開口側芯金４２の上面が露出している。
【００３５】
底壁部４１は、内筒部３６の下面を全領域に亘って閉塞する形態であり、底壁部４１の平面視形状は正六角形をなしている。底壁部４１には、インサート成形により底面側芯金４４が埋設された状態で一体化されている。底面側芯金４４は、底壁部４１の下面（保護部材３５の外面）に露出している。図８に示すように、底面側芯金４４は、平面視が正六角形をなす枠部４５と、底壁部４１の中心から１２０°ピッチで放射状に延びて枠部４５に連なる３本の補強梁部４６とから構成されている。
【００３６】
保護部材３５を缶体１１に収容した状態では、内筒部３６が缶体１１の外筒部１２の内面を全領域に亘って覆い、底壁部４１が、缶体１１の下端面の連通口１５において露出している。そして、６つの頂点外周部３９が、夫々、６つの嵌合凹部２４に個別に嵌合されることにより、保護部材３５は、缶体１１（外筒部１２）に対し、周方向の相対回転と径方向の相対変位を規制された状態で取り付けられる。また、図３，４に示すように、６つの内壁部３７の外面は、その周方向における両端部（周方向における両側縁部、つまり、支持部材２２の嵌合凹部２４に嵌合する頂点外周部３９）を除き、缶体１１の外壁部１３の内面に対して軸線方向における全長に亘り隙間Ｓを空けて非接触の位置関係で略平行に対向する。
【００３７】
＜蓋４７＞
蓋４７は、バレル本体１０の投入排出口を全領域に亘って開閉するものであり、図５に示すように、金属板材４８と金属板材４８の下面に固着されたゴムシート４９とからなる二枚重ね構造である。図２に示すように、蓋４７の外周縁には、周方向に１２０°の等角度ピッチを空けた３つの回転規制部５０が形成されている。
【００３８】
＜固定部材５１＞
図５に示すように、固定部材５１は、金属製の固定具５２と、金属製の押圧用ボルト５６とを備えて構成されている。固定具５２は、平面視円形をなす基部５３と、３本のアーム部５５とを備えて構成された単一部品である。３本のアーム部５５は、基部５３の外周面から１２０°の等角度ピッチを空けて径方向外方へ放射状に且つ片持ち状に延出した形態である。基部５３の中心に形成した雌ネジ孔５４には、押圧用ボルト５６がねじ込み状態で貫通して取り付けられている。押圧用ボルト５６の上端部には、合成樹脂製のハンドル５７が一体回転し得るように固着されている。
【００３９】
＜缶体１１に支持部材２２と保護部材３５を取り付ける手順＞
蓋４７をバレル本体１０から外した状態では、缶体１１に支持部材２２と保護部材３５を取り付けることができる。支持部材２２と保護部材３５を取り付ける手順の一例としては、まず、６つの支持部材２２を缶体１１の６つの頂点内周部１７に個別に取り付ける。その後、保護部材３５を着脱口１４から缶体１１内に収容する。この間、６つの頂点外周部３９が６つの支持部材２２の嵌合凹部２４に摺接する。また、上記とは別の取付け手順としては、まず、支持部材２２の嵌合凹部２４を保護部材３５の６つの頂点外周部３９の外面に密接させて一体化させる。その後、一体化させた保護部材３５と６つの支持部材２２を、着脱口１４から缶体１１内に収容する。
【００４０】
いずれの手順においても、支持部材２２を缶体１１（外筒部１２）に取り付ける際には、一対の弾性片２９を一対の溝部２１に嵌入し、一対の規制突部２７を一対の規制凹部１９に嵌合し、一対の係止溝２８を一対の係止リブ２０に嵌合する。缶体１１に取り付けられた支持部材２２は、一対の弾性片２９が溝部２１の内面に弾性的に当接することにより、本体部２３の外面を受け面１８に当接し、支持部材２２が缶体１１に取り付けられた状態に保持される。
【００４１】
缶体１１に支持部材２２と保護部材３５を取り付ける際には、保護部材３５の３つの切欠部４３を缶体１１（受け部材３０，３１）の３つのストッパ３４と対応させる。そして、保護部材３５は、フランジ部４０（開口側芯金４２）の下面が外筒部１２の上端面に当接して載置された状態になる位置まで収容する。缶体１１に支持部材２２と保護部材３５を取り付けると、保護部材３５の６つの頂点外周部３９と缶体１１の６つの頂点内周部１７が、支持部材２２を介して個別に径方向に対向する位置関係となる。６つの内壁部３７と６つの外壁部１３が、個別に略平行をなし、且つ径方向に隙間Ｓを空けて対向した状態となる。
【００４２】
保護部材３５を缶体１１に取り付けた後、ストッパ３４を時計回り方向へ回転させることにより退避位置から抜止め位置へ移動させる。すると、ストッパ３４が開口側芯金４２の上面に対し上から係止した状態となるので、保護部材３５は、缶体１１に対して上方への移動が規制される。また、支持部材２２はフランジ部４０（開口側芯金４２）の下方に位置するので、支持部材２２も、缶体１１に対して上方への移動が規制される。これにより、保護部材３５と支持部材２２は、缶体１１に取り付けた状態に保持される。したがって、缶体１１と保護部材３５を上下反転させても、保護部材３５と支持部材２２が缶体１１から離脱して落下する虞はない。
【００４３】
＜バレル本体１０に蓋４７を取り付ける手順＞
保護部材３５を缶体１１に取り付けた状態では、バレル本体１０に蓋４７を取り付けることができる。蓋４７を取り付ける際には、３つの回転規制部５０を３つの受け部材３０，３１に個別に嵌合させ、蓋４７をバレル本体１０の上面に載置する。このとき、ゴムシート４９が内筒部３６の上面に当接する。次に、固定部材５１を蓋４７の上面に同心状に載置し、３本のアーム部５５の延出端部を受け部材３０，３１のアーム引掛け部３３に収容して嵌合させる。
【００４４】
この後、ハンドル５７を摘んで平面視時計回り方向へ回転させ、押圧用ボルト５６を基部５３に対して下方へ相対変位させる。このとき、アーム部５５が、アーム引掛け部３３の内面のうち時計回り方向先端面に突き当たるので、固定具５２が連れ回りすることはない。押圧用ボルト５６の下端が蓋４７の上面中央部に当接した状態で、ハンドル５７を回転させて締め付けると、固定具５２が蓋４７に対して上方へ相対変位し、３本のアーム部５５が、夫々、３つのアーム引掛け部３３を下から押圧する。この押圧作用により、アーム引掛け部３３からの下向きの反力が、固定具５２と押圧用ボルト５６を介して蓋４７に作用するので、蓋４７は、バレル本体１０に対して上から押し付けられ、投入排出口を塞いだ状態で固定される。尚、蓋４７の外周の回転規制部５０が受け部材３０，３１に嵌合するので、押圧用ボルト５６を締め付けるときに、蓋４７が連れ回りすることはない。
【００４５】
＜バレル研磨工程＞
バレル研磨の際には、保護部材３５の内部でマスが互いに摺接し合いながら流動するとともに、マスが保護部材３５の内壁部３７（内筒部３６）の内周面に衝突する。この間、保護部材３５には、内筒部３６の内周面に作用する衝撃力により缶体１１（外筒部１２）に対して相対回転する方向の力が作用する。そのため、保護部材３５の頂点外周部３９が支持部材２２の嵌合凹部２４に対し周方向に相対変位しようとするとともに、支持部材２２が缶体１１に対して周方向へ相対変位しようとする。
【００４６】
しかし、支持部材２２は、一対の規制突部２７と一対の係止溝２８を、夫々、缶体１１（外筒部１２）に形成した一対の規制凹部１９と一対の係止リブ２０に嵌合させているので、缶体１１に対して周方向へ相対回転することはない。また、嵌合凹部２４のうち曲面部２５が曲面状の頂点外周部３９の外面に対し面当たり状態で当接し、嵌合凹部２４のうち周方向に離間した一対の平面部２６が内壁部３７の外周側縁部に対し面当たり状態で当接している。これらの面当たり状態で当接する領域の大部分は、周方向に対して傾斜しているので、支持部材２２に対して保護部材３５が相対回転することを規制する機能を発揮する。
【００４７】
しかも、頂点外周部３９は、内筒部３６のうち周方向において最も剛性の高い部位であるから、弾性変形を生じ難い。したがって、保護部材３５（内筒部３６）と支持部材２２の接触面（頂点外周部３９と嵌合凹部２４）では、保護部材３５と缶体１１の相対回転に起因する摺動摩耗の発生が防止されるとともに、内筒部３６（頂点外周部３９）の弾性変形に起因する摺動摩耗の発生が防止されている。
【００４８】
＜蓋４７をバレル本体１０から外す手順＞
蓋４７をバレル本体１０から外す際には、ハンドル５７を摘んで押圧用ボルト５６を反時計回り方向（緩み方向）へ回転させればよい。押圧用ボルト５６の回転により、蓋４７に対する下向きの反力が解除されるので、固定具５２を回転させてアーム部５５の延出端部をアーム引掛け部３３から外す。この後は、固定部材５１と蓋４７を一緒に、又は別々に持ち上げれば、蓋４７がバレル本体１０から外される。
【００４９】
＜缶体１１から保護部材３５を取り出す手順＞
保護部材３５の内筒部３６や底壁部４１や頂点外周部３９が、長年の使用や厳しい研磨条件によって摩耗した場合は、摩耗した保護部材３５を缶体１１から取り出して新しい保護部材３５と交換する。蓋４７をバレル本体１０から外すと、保護部材３５と支持部材２２を缶体１１から取り出すことができる。保護部材３５を取り出す際には、ストッパ３４を、反時計回り方向へ回転させることにより抜止め位置から径方向外方の退避位置まで移動させる。この後、フランジ部４０に指を引っ掛けて保護部材３５を缶体１１から抜き取る。
【００５０】
このとき、バレル研磨時に発生する摩擦熱によって合成樹脂製の保護部材３５が膨張し、頂点外周部３９が、支持部材２２の嵌合凹部２４に対し径方向外方へ押圧した状態で密着している場合には、保護部材３５が合成樹脂製であることから頂点外周部３９に生じる摩擦抵抗が大きいので、保護部材３５だけを缶体１１から抜き取ることが難しい。しかし、支持部材２２の本体部２３と缶体１１の受け面１８とは金属同士の接触なので、本体部２３と受け面１８とが強く押圧し合っていても比較的摺動し易い。したがって、保護部材３５と一緒に支持部材２２が缶体１１から抜き取られる。
【００５１】
尚、フランジ部４０に指を引っ掛けて保護部材３５を缶体１１から引き抜くことが困難である場合は、缶体１１の下面の連通口１５から保護部材３５の底壁部４１を押せばよい。連通口１５は缶体１１の下面の全領域に亘って開口しているので、作業者は底壁部４１を広い範囲に亘って押すことができる。これにより、保護部材３５を着脱口１４側へ押し動かすことができるので、保護部材３５を缶体１１から確実に取り出すことができる。
【００５２】
＜実施例の作用及び効果＞
上述のように本実施例のバレル槽Ａは、缶体１１と保護部材３５とを備えて構成されている。缶体１１は、概ね平板状をなす複数の外壁部１３を周方向に連ねた多角形断面の外筒部１２を有する。外筒部１２の軸線Ｐ方向における一方の端面（上端面）は、保護部材３５を缶体１１に対して着脱するための着脱口１４として開放されている。
【００５３】
保護部材３５は、概ね平板状をなす複数の内壁部３７を周方向に連ねた多角形断面の内筒部３６と、内筒部３６の軸線Ｐ方向における基端側端部（下端部）を閉塞する底壁部４１とを有する。保護部材３５は、全体として箱形をなし、着脱口１４から缶体１１内に収容される。缶体１１に保護部材３５を収容すると、缶体１１の内周が保護部材３５で覆われて保護される。保護部材３５を箱形としたので、缶体１１に対して保護部材３５を着脱する際の作業性が良い。
【００５４】
外筒部１２の断面視における頂点内周部１７には、内筒部３６の断面視における頂点外周部３９を嵌合させることで、外筒部１２と内筒部３６の周方向への相対変位を規制可能な嵌合凹部２４が設けられている。缶体１１において２つの外壁部１３の側縁部同士が連なる頂点内周部１７は、双方の外壁部１３が相手側の外壁部１３によって補強される形状をなすので、外筒部１２においては最も剛性が高く変形が生じ難い部位である。
【００５５】
同様に、保護部材３５において２つの内壁部３７の側縁部同士が連なる頂点外周部３９は、双方の内壁部３７が相手側の内壁部３７によって補強される形状をなすので、内筒部３６において最も剛性が高く変形が生じ難い部位である。剛性の高い頂点内周部１７と頂点外周部３９を嵌合させたので、バレル研磨時に缶体１１に対して保護部材３５が周方向へ相対変位することを規制できる。
【００５６】
また、嵌合凹部２４の内面と頂点外周部３９の外面は、いずれも曲面を含んで構成されており、互いに面当たり状態で当接する。この構成によれば、嵌合凹部２４の内面と頂点外周部３９の外面が曲面を含んで構成されているので、嵌合凹部２４の内面と頂点外周部３９の外面における応力集中に起因する摩耗を回避できる。また、嵌合凹部２４と頂点外周部３９との接触面積が大きく確保されるので、缶体１１に対する保護部材３５の周方向への相対変位を抑制する機能に優れている。
【００５７】
また、嵌合凹部２４は、缶体１１に対して着脱可能な支持部材２２に形成されている。したがって、嵌合凹部２４が摩耗したときには、支持部材２２を交換することで、缶体１１に対する保護部材３５の相対変位を規制する機能を維持できる。
【００５８】
また、保護部材３５は合成樹脂材料からなり、保護部材３５には、内筒部３６の開口部３５Ｅの開口縁から径方向外方へ張り出した形態のフランジ部４０が形成されている。フランジ部４０は、開口部３５Ｅを閉塞する蓋４７と外筒部１２との間で挟み付けられるようになっており、フランジ部４０には、その全周に亘りリング状の開口側芯金４２が一体化されている。この構成によれば、保護部材３５がバレル研磨時に熱膨張しても、開口側芯金４２の剛性により、フランジ部４０が波打つように変形する虞はない。したがって、蓋４７とフランジ部４１との間を密閉状態に保つことができる。
【００５９】
また、開口側芯金４２は、保護部材３５の開口部３５Ｅの開口縁部に一体化されているので、内筒部３６の頂点外周部３９のうち開口部３５Ｅの開口縁部の近傍部分は、バレル研磨時に径方向へ熱膨張しようとしても、その熱膨張は開口側芯金４２の剛性によって抑制される。したがって、保護部材３５の開口部３５Ｅの開口縁部の近傍においては、頂点外周部３９が嵌合凹部２４に対して過度に押し付けられる虞がない。
【００６０】
また、合成樹脂製の底壁部４１には底面側芯金４４が一体化されている。この構成によれば、内筒部３６の頂点外周部３９のうち底壁部４１の近傍部分（下端部）が、バレル研磨時に径方向へ熱膨張しようとしても、その熱膨張は、底面側芯金４４によって抑制される。したがって、保護部材３５の底壁部４１の近傍においては、頂点外周部３９が嵌合凹部２４に対して過度に押し付けられることを防止できる。
【００６１】
また、外筒部１２の軸線Ｐと平行な方向における他方の端面（下端面）には、缶体１１の内部と外部を連通させる連通口１５が形成されていてもよい。この構成によれば、保護部材３５を缶体１１から外す際に、連通口１５から保護部材３５を着脱口１４側へ押すことができるので、作業性が良い。
【００６２】
また、嵌合凹部２４（支持部材２２）は、外筒部１２の軸線Ｐと平行な方向の全長に亘って連続して延びた形態である。この構成によれば、複数の嵌合凹部２４を外筒部１２の軸線Ｐ方向に分断して配置する場合に比べると、嵌合凹部２４の成形が容易である。
【００６３】
また、缶体１１には、保護部材３５に一体化させた開口側芯金４２に係止することで、保護部材３５を缶体１１に収容した状態に保持可能なストッパ３４を設けられている。この構成によれば、缶体１１内に保護部材３５を収容した状態でバレル槽Ａを上下反転させたような場合に、保護部材３５が不用意に缶体１１から落下することを防止できる。
【００６４】
＜他の実施例＞
本発明は上記記述及び図面によって説明した実施例に限定されるものではなく、例えば次のような実施例も本発明の技術的範囲に含まれる。
（１）上記実施例では、支持部材の嵌合凹部の内面が、曲面と平面を含んで構成されているが、嵌合凹部の内面は、曲面のみで構成されていてもよく、互いに角度なして連なる複数の平面のみで構成されていてもよい。
（２）上記実施例では、頂点外周部の外面が曲面のみで構成されているが、頂点外周部の外面は、曲面と平面を含んで構成されていてもよく、互いに角度なして連なる複数の平面のみで構成されていてもよい。
（３）上記実施例では、頂点内周部の嵌合凹部と頂点外周部の外面が、面当たり状態で当接するが、嵌合凹部と頂点外周部の外面が、線接触又は点接触面するようにしてもよい。
（４）上記実施例では、支持部材（嵌合部）を金属製としたが、支持部材（嵌合部）は合成樹脂製であってもよい。
（５）上記実施例では、嵌合部が缶体とは別体の支持部材に形成されているが、嵌合部は、缶体の頂点内周部に一体に形成してもよい。
（６）上記実施例では、嵌合部が、外筒部の軸線方向における全長に亘って連続して延びた形態であるが、これに限らず、複数の嵌合部を外筒部の軸線方向に分断して配置してもよい。この場合、１つの支持部材に複数の嵌合部を形成してもよく、嵌合部が形成された複数の支持部材を、軸線方向に間隔を空けて缶体に取り付けてもよい。
（７）上記実施例では、開口側芯金をインサート成形によって保護部材と一体化させたが、開口側芯金とを保護部材を一体化させる手段は、ビス止めや接着等であってもよい。
（８）上記実施例では、保護部材の開口部の開口縁部に開口側芯金を設けたが、保護部材は開口側芯金を設けない形態としてもよい。
（９）上記実施例では、底面側芯金をインサート成形によって底壁部と一体化させたが、底面側芯金と底壁部を一体化させる手段は、ビス止めや接着等であってもよい。
（１０）上記実施例では、保護部材の底面部に底面側芯金を設けたが、保護部材は底面側芯金を設けない形態としてもよい。
（１１）上記実施例では、缶体の奥端部に連通口を形成したが、缶体は連通口を有しない形態であってもよい。
（１２）上記実施例では、缶体に、保護部材を収容状態に保持するためのストッパを設けたが、缶体はストッパを有しない形態であってもよい。
（１３）上記実施例では、缶体の外筒部と保護部材の内筒部との間に径方向の隙間を設けたが、缶体の外筒部と保護部材の内筒部との間に径方向の隙間を設けない形態としてもよい。この場合でも、保護部材の剛性の高い頂点外周部と、剛性の高い頂点内周部に配した嵌合凹部との嵌合により、缶体に対する保護部材の周方向への相対変位を規制する機能が発揮される。
（１４）上記実施例では、缶体の外筒部と保護部材の内筒部の平面視形状を正六角形としたが、缶体の外筒部と保護部材の内筒部の平面視形状は、頂点部の数が５つ以下の多角形でもよく、頂点部の数が７つ以上の多角形でもよい。
（１５）上記実施例では、缶体の外筒部を構成する複数（６つ）の外壁部が、全て平板状をなしているが、複数の外壁部のうち少なくとも一部は、平面視において湾曲した板状をなしていてもよい。
（１６）上記実施例では、保護部材の内筒部を構成する複数（６つ）内外壁部が、全て平板状をなしているが、複数の内壁部のうち少なくとも一部は、平面視において湾曲した板状をなしていてもよい。
（１７）上記実施例では、外筒部を構成する複数の外壁部のうち、少なくとも一部の外壁部に、軽量化のための窓孔部を形成してもよい。
（１８）上記実施例では、缶体の軸線方向における一方の端部のみを着脱口として開口させたが、缶体の軸線方向における両端部を、保護部材を着脱させるための着脱口として開口させてもよい。
【符号の説明】
【００６５】
Ａ…バレル槽
Ｐ…軸線
１１…缶体
１２…外筒部
１３…外壁部
１４…着脱口
１５…連通口
１７…頂点内周部
２２…支持部材
２４…嵌合凹部（嵌合部）
３４…ストッパ
３５…保護部材
３５Ｅ…開口部
３６…内筒部
３７…内壁部
３９…頂点外周部
４０…フランジ部
４１…底壁部
４２…開口側芯金
４４…底面側芯金
４７…蓋
【図１】
2019162691.tif 000003
【図２】
2019162691.tif 000004
【図３】
2019162691.tif 000005
【図４】
2019162691.tif 000006
【図５】
2019162691.tif 000007
【図６】
2019162691.tif 000008
【図７】
2019162691.tif 000009
【図８】
2019162691.tif 000010
【図９】
2019162691.tif 000011